(57)【要約】  【解決手段】  本発明は、ロック機構（１、２）と、機械式レバーギア（４、５）と、モーター駆動式開錠ユニット（７、９）とを有する自動車ドアロックに関する。前記機械式レバーギア（４、５）および前記開錠ユニット（７〜９）は、前記ロック機構（１、２）を開錠するようそれぞれ独立して構成される。本発明によれば、前記モーター駆動式開錠ユニット（７〜９）は、確実に、通常動作においては前記ロック機構（１、２）に対して前記レバーギア（４、５）を移動自在にし、開錠動作においては前記レバーギアを前記ロック機構（１、２）に係合させる。  【選択図】      図１
2014511447.tif 000002
【特許請求の範囲】
【請求項１】
ロック機構（１、２）と、前記ロック機構（１、２）を開錠するようそれぞれ独立して構成される機械式レバーギア（４、５）及びモーター駆動式開錠ユニット（７〜９）と、を有する自動車ドアロックであって、
前記モーター駆動式開錠ユニットは、通常動作においては前記ロック機構（１、２）に対して前記レバーギア（４、５）を移動自在にし、開錠動作においては前記レバーギアを前記ロック機構（１、２）に係合させる
ことを特徴とする自動車ドアロック。
【請求項２】
前記請求項１に記載の自動車ドアロックにおいて、前記機械式レバーギア（４、５）は、前記ロック機構（１、２）と相互に係合する作動レバー（４）を含むことを特徴とする自動車ドアロック。
【請求項３】
前記請求項２に記載の自動車ドアロックにおいて、前記作動レバー（４）は、軸頚（１６）が係合するための穴形状部（Ｐｒｏｆｉｌｅ）（１７）を含むことを特徴とする自動車ドアロック。
【請求項４】
前記請求項３に記載の自動車ドアロックにおいて、前記軸頚（１６）は、前記ロック機構（１、２）の爪部（２）と前記作動レバー（４）との間の機械式連結軸頚（１６）として設計されることを特徴とする自動車ドアロック。
【請求項５】
前記請求項３または４に記載の自動車ドアロックにおいて、前記作動レバー（４）に設けられた金型穴形状部（ｄｉｅ  ｐｒｏｆｉｌｅ）（１７）は、前記作動レバー（４）を移動自在にするための領域（移動自在の領域）（１７ａ）と、前記作動レバー（４）を係合させるための領域（係合領域）（１７ｂ）とを有する少なくても２つの部分を有することを特徴とする自動車ドアロック。
【請求項６】
前記請求項３から５のいずれか１つに記載の自動車ドアロックにおいて、前記穴形状部（１７）は、前記作動レバー（４）を移動自在にするための領域（移動自在の領域）（１７ａ）である１のＬ字型脚部（１７ａ）と、前記作動レバー（４）を係合させるための領域（係合領域）（１７ｂ）である別のＬ字型脚部（１７ｂ）とを有するＬ字型であることを特徴とする自動車ドアロック。
【請求項７】
前記請求項２から６いずれか１つに記載の自動車ドアロックにおいて、前記作動レバー（４）、および、前記ロック機構（１、２）の前記爪部（２）は、共通軸を共有していることを特徴とする自動車ドアロック。
【請求項８】
前記請求項１から７いずれか１つに記載の自動車ドアロックにおいて、前記モーター駆動式開錠ユニット（７〜９）は、一方向に動作することを特徴とする自動車ドアロック。
【請求項９】
前記請求項１から８いずれか１つに記載の自動車ドアロックにおいて、前記駆動方向（１１）と逆方向に作用するバネ（２０）は、前記モーター駆動式開錠ユニット（７〜９）に設けられることを特徴とする自動車ドアロック。
【請求項１０】
前記請求項１から９いずれか１つに記載の自動車ドアロックにおいて、前記モーター駆動式開錠ユニット（７〜９）は、前記電気モータ（７）によって駆動される駆動プーリー（８）を含むことを特徴とする自動車ドアロック。
【請求項１１】
前記請求項１０に記載の自動車ドアロックにおいて、前記駆動プーリ（８）は、カム（９）を含むことを特徴とする自動車ドアロック。
【請求項１２】
前記請求項１１に記載の自動車ドアロックにおいて、前記カム（９）は、一方では前記爪部（２）上の前記係止要素（１２）と相互作用し、他方では前記アクチュエーター（１４）と相互作用する駆動カム（９）として設計されることを特徴とする自動車ドアロック。
【請求項１３】
前記請求項１２に記載の自動車ドアロックにおいて、前記アクチュエーター（１４）は、前記軸頚（１６）に作用し、それによって、前記作動レバー（４）で、前記通常動作では前記頚軸（１６）が前記作動レバー（４）を移動自在にするための領域（移動自在の領域）（１７ａ）に配置され、そして、前記開錠動作では前記頚軸（１６）が前記穴形状部（１７）の前記作動レバー（４）を係合させるための領域（係合領域）（１７ｂ）に配置されることを特徴とする自動車ドアロック。
【請求項１４】
前記請求項１２または１３に記載の自動車ドアロックにおいて、前記アクチュエーター（１４）は、前記駆動プーリー（８）の前記カム（９）と前記軸頚（１６）を機械的に連結する旋回レバーとして設計されることを特徴とする自動車ドアロック。
【請求項１５】
前記請求項１２から１４いずれか１つに記載の自動車ドアロックにおいて、伸縮バネが前記アクチュエーター（１４）に設けられていることを特徴とする自動車ロック。
【発明の詳細な説明】
【技術分野】
【０００１】
本発明は、ロック機構と、当該ロック機構を開錠するようそれぞれ独立して構成される機械式レバーギアおよびモーター駆動式開錠ユニットとを有する自動車ドアロックに関する。
【背景技術】
【０００２】
このような自動車ドアロックは、例えば、独国実用新案出願公開第ＤＥ２０  ２００８  ００３  ８４５号の出願人によって開示される先行技術、または独国特許出願公開第ＤＥ１９６４２６９８号で公知である。後者の場合、独国特許出願公開第ＤＥ１９６４２６９８号には、通常の場合または通常動作において、ドアハンドルのハンドル部をその通常位置に固定することが開示されている。ドアロックの開錠後、自動車の各ドアは、ハンドル部を枢動させずとも単にハンドル部を引くことで開錠することができる。
【０００３】
激突などの緊急の場合または衝突（ｃｒａｓｈ）の場合、電気制御システムが各衝突センサーの信号を検知する。それにより、ロックボルトが退避し、ドアハンドルのハンドル部が予め固定される。その結果、ドアロックを機械的に開錠することができる。一方、通常動作では、前記ドアロックは、電気モーターまたはモーター駆動式開錠ユニットによって開錠される。
【０００４】
上記公知の処理は優れた解決策であることが実証されているが、通常動作において、前記モーター駆動式開錠ユニットを用いてロック機構を開錠できない場合、あるいは、もはや開錠できなくなってしまった場合には、当該処理に限界がある。なぜなら、この機能的位置において、機械的な開錠が元より提供されていないためである。また、設計にかかる手間、および、従ってこのような自動車ドアロックを実施するための金銭的なコストは膨大なものである。  
【発明の概要】
【発明が解決しようとする課題】
【０００５】
本発明は、上記のような構成の自動車ドアロックをさらに開発する上での技術的課題、すなわち、前記ロックが、一方では正しい機能性を維持し、また、他方では開錠工程を機械的に支持する付加機能を提供するという課題に基づくものである。また、本発明は、簡易な構成、且つ、低コストの設備で、上述の自動車ドアロックを提供することを目的とする。  
【課題を解決するための手段】
【０００６】
上記技術的課題を解決するために、本発明に従う自動車ドアロックの概要は、前記モーター駆動式開錠ユニットが、通常動作においてはロック機構に対してレバーギアを移動自在にし、そして開錠動作においては確実に前記レバーギアを前記ロック機構に係合させることを特徴とする。
【０００７】
本発明の一環として、通常動作は、前記自動車ドアロックまたはそのロック機構が開錠されていないこと、および、上記開錠動作のための各処理が実行されないことに対応する。一方、開錠動作は、爪部が、これと係合する回転式ラッチから引き離されることによって、前記ロック機構が開錠されることに関する。この工程の結果、前記回転式ラッチによって予め拘束されていたロックボルトが解放される。
【０００８】
前記ロックボルトは、一般的に自動車ドアに連結されているため、この工程によって、これらと連動する自動車ドア、自動車ドアフラップなどを開錠できる。これは望ましい工程である。しかしながら、意図せず開錠されることは防止すべきである。
【０００９】
このような意図しない開錠は、例えば、事故または衝突の際に発生する加速力によって引き起こされる。本発明によれば、通常動作（これは衝突の事態を含む）においては、前記モーター駆動式開錠ユニットが、確実に前記ロック機構に対してレバーギアを移動自在にするため、このような意図しない開錠は許容されない。すなわち、通常動作（また衝突の場合）における前記機械式レバーギアの作動は、これに付随した枢動運動をもたらすが、前記ロック機構に対して、当該枢動運動は、移動自在、あるいはアイドリングする運動であって、従って、機械式レバーギアの作動によって、前記爪部が前記回転式ラッチから引き離される状態、あるいは引き離し可能な状態にはならない。これにより、前記ドアロックと連動する自動車ドアが意図せず開錠されることを防止する。
【００１０】
前記ロック機構は、前記モーター駆動式開錠ユニットの電気モーターに転送される各開錠信号によって、前記モーター駆動式開錠ユニットが作動する時またはその場合のみ開錠される。この場合、開錠動作が実行されると、前記モーター駆動式開錠ユニットによって、前記機械式レバーギアが動かされ前記ロック機構に係合することが確実になる。そして、前記機械式レバーギアに作用する力によって、前記爪部が前記回転式ラッチから引き離されること、あるいは引き離し可能であることが確実になる。
【００１１】
更に、前記モーター駆動式開錠ユニットのみが、開錠動作中、前記ロック機構の開錠を確実にする、または確実にできるわけではない。前記ロック機構の開錠は、実際、前記ロック機構と係合する前記機械式レバーギアに補助されている。この場合、前記モーター駆動式開錠ユニットの前記電気モーターは、前記機械式レバーギアを前記ロック機構に係合するのに、最小限の変位で十分である。結果として、例えば、前記電気モーターの力が、前記爪部を前記回転ラッチから引き離すのに十分でない状況であっても、この工程を本発明によって機械的に支持することで問題なく対処することができる。
【００１２】
更に、前記モーター駆動式開錠ユニットは、一方向のみに動作することが有益である。この一方向の動作は、衝突の場合にも、前記機械式レバーギアを補助することで、前記ロック機構の開錠工程を支持し、そして実際に（必要な場合に）開錠工程を実行できることを十分に保障するものである。従って、一方向動作のために、精巧な電気的手段は必要なく、簡易な構成の電気モーター駆動部で十分である。
【００１３】
この場合、通常、前記駆動部に付け加えられたバネが、前記モーター駆動式開錠ユニットに対してその（一方向性）駆動方向と逆方向に確実に作用する。その結果、前記モーター駆動式開錠ユニットは、駆動部の停止後、前記バネによって、その元の位置に容易に動く（戻る）ことができる。これは、通常動作、従って前記ロック機構に対して前記レバーギアが移動自在となることに対応する。
【００１４】
いずれにせよドアロックの機械式重複機能性の実現の結果、それぞれの場合で前記ロック機構を、簡単に、且つ、確実に開錠することが可能となる。それは、前記モーター駆動式開錠ユニットの前記電気モーターが、わずかな短い距離を移動すれば十分なためであるが、そのような短い距離は、前記爪部を前記回転式ラッチから引き離すには十分でない。実際、この短い距離では、前記機械式レバーギアを、移動自在な状態から前記ロック機構と係合する状態に移行させることしかできない。この結果、前記機械式レバーギアによって、前記ロック機構の開錠工程を支持あるいは完全に操縦することができる。これは、非常に簡単な手段で全て達成されるものであって、従って、特にコスト的に有効である。
【００１５】
更なる有益な実施形態によれば、前記機械式レバーギアは、前記ロック機構と相互に係合する作動レバーを含む。これにより、前記ロック機構の近傍に直接的に配置された前記作動レバーは、本質的に、通常動作においては前記機械式レバーギアが前記ロック機構に比べて自在に移動し、そして開錠動作においては前記機械式レバーギアが前記ロック機構に係合することを確実にする。
【００１６】
この目的のために、前記作動レバーは、通常、軸頚が係合するための穴形状部（Ｐｒｏｆｉｌｅ）を含む。多くの場合、この軸頚は、前記爪部と前記作動レバー間の機械式連結軸頚である。前記軸頚は、実際、作動レバーと爪部間に配置される連結リンク上または連結リンク内に搭載可能である。前記軸頚は、この連結リンクに対して垂直に配置され、爪部と作動レバーを機械的に連結する。
【００１７】
前記作動レバーに設けられた前記穴形状部は、典型的には２つの部分を有する。前記穴形状部は、実際、一般的には移動自在な領域と係合領域とに分けられる。また、前記穴形状部は、Ｌ字型である場合も有益であることが実証されている。なぜなら、この場合、一方ではＬ字型脚部が移動自在な領域として働き、他方では別のＬ字型脚部が係合領域として構成されているためである。移動自在な領域として構成される前記Ｌ字型脚部は、典型的には垂直方向のＬ字型脚部であって、一方、係合領域を規定する前記Ｌ字型脚部は、水平方向のＬ字型脚部として設計される。
【００１８】
前記爪部と前記作動レバー間の前記連結軸頚が、移動自在な範囲内あるいは前記作動レバーに設けられた前記Ｌ字型穴形状部の上記連動するＬ字型脚部内に位置しているならば、前記作動レバーは、その軸を中心に枢動可能であって、これらの枢動運動は前記爪部には伝達されない。その代りに、当の軸頚は、この工程の間、移動自在な範囲に沿って、すなわち垂直方向の前記Ｌ字型脚部に沿って移動する。それゆえに、前記作動レバーの枢動運動は影響を及ぼさない。機械式レバーギアは自在に動く。これは、通常動作に対応する。
【００１９】
しかしながら、開錠動作が開始され、前記モーター駆動式開錠ユニットが作用されると、それによって、確実に前記軸頚または前記連結軸頚が移動自在な領域を離れ係合領域に入る。その結果、前記機械式連結軸頚は、前記爪部と前記作動レバー間で、係合領域あるいは前記作動レバーに設けられた前記Ｌ字型穴形状部の水平方向のＬ字型脚部内にはめ込まれる。その結果、この機能的位置における前記作動レバーの枢動運動によって、当該枢動運動が前記連結軸頚へ伝達され、当該連結軸頚によって、前記爪部が運ばれる。このようにして、前記爪部が前記回転式ラッチから引き離されと、バネにより回転式ラッチが開錠される。上記各動作の結果、予め係合しているロックボルトが解放される。
【００２０】
これを詳細に実施するために、前記作動レバーと前記ロック機構の前記爪部は、同軸上に配置される。実際、前記作動レバーと前記爪部は、通常、ドアロックのロックケース内の共通軸上に共に収容される。
【００２１】
上述したように、前記モーター駆動式開錠ユニットは、一方向に動作し、電気モーターを含む。この電気モーターは、前記モーターによって駆動プーリーが駆動されるよう作用する。前記駆動プーリー自体は、一般に、カムと共に提供される。多くの場合、カムは、駆動カムとして設計される。
【００２２】
前記駆動カムは、一方で、前記爪部上の係止要素と相互作用し、他方でアクチュエーターと相互作用する。前記駆動カムが、前記爪部の前記係止要素と逆方向に動くと、直ちに前記爪部が前記回転式ラッチによって前記駆動カムから引き離される。その結果、前記回転式ラッチが開錠される。それと同時に、またはその前に、前記駆動カムは、他方では、確実に前述のアクチュエーターに作用する。
【００２３】
前記アクチュエーターは、前記爪部と前記作動レバー間の前記軸頚または前記機械式連結軸頚の位置変化を保障する。上述したように、前記軸頚は、前記作動レバーの前記穴形状部の移動自在な範囲内、または他方のその係合領域内のいずれかに位置することができる。これは、一方では通常動作を規定するものであり、他方では開錠動作を規定するものである。前記アクチュエーターは、これら移動自在な範囲内または係合領域内の異なる場所に達するよう前記軸頚に作用する。この目的のために、前記アクチュエーターは、同様に、前記モーター駆動式開錠ユニットによって作用される。
【００２４】
前記アクチュエーターは、通常動作において、前記軸頚が作動レバー上の穴形状部の移動自在な領域に配置され、そして、開錠動作において、前記軸頚が前記作動レバー上の穴形状部の係合領域内に配置されるように、前記軸頚に作用する。これを達成するために、前記アクチュエーターが旋回レバーとして設計されることは有益である。従って、前記アクチュエーターまたは前記旋回レバーは、前記モーター駆動部と、前記軸頚または前記連結軸頚との間に機能的に配置する。この目的のために、前記アクチュエーターは、前記爪部と前記作動レバー間に配置可能であり、そして前記軸頚を支持する連結リンクに直接的に作用することが可能である。
【００２５】
このために、前記アクチュエーターまたは旋回レバーは、一般的に軸の中心の近傍に位置する。前記旋回レバーの１端部は、係止部または係止軸頚を含み、作動レバーを動かすために、前記モーター駆動式開錠ユニットのカムが係止部または係止軸頚に当接する。いずれにしても、前記旋回レバーは、前記モーター駆動式開錠ユニットの駆動プーリーの前記カムと前記軸頚を、機械的に連結する。もはや前記モーター駆動式開錠ユニットが前記アクチュエーターまたは旋回レバーに作用しない場合では、前記アクチュエーターまたは前記旋回レバーと付加的に連動する伸縮バネが、確実に前記旋回レバーまたは前記アクチュエーターをそれらの元の位置に戻す。
【図面の簡単な説明】
【００２６】
以下に、一実施形態のみを示す図を用いて、本発明を詳細に説明する。
【図１】自動車ドアロック通常動作の断面を示す。
【図２】開錠動作における図１の対象を示す。
【発明を実施するための形態】
【００２７】
図は、自動車ドアロックであって、その基本構成は、回転式ラッチ１と、当該回転式ラッチ１と通常の方法で相互作用する爪部２を有するロック機構１，２を含むことを示す。また、一般的に、ロック機構１、２は、図示される爪部２の代わりに爪部用レバー２を含むこともでき、当該爪部用レバーは、図面に示されていない通常の方法で爪部と相互作用する。爪部用レバー２の機能は、以下に説明する爪部２の機能と同様である。すなわち、参照番号２の前記レバーは、一般的に、爪部に作用する不図示の爪部用レバー２であってもよく、それは同様に、回転式ラッチ１と相互作用する。ここで説明する実施例は、図面で示すように、当該爪部用レバー２を含まないが、その代りに爪部２を含む。しかしながら、以下で説明する全ての機能は、爪部２、および、代わりに不図示の実施例の一部として爪部レバー２を用いれば実行可能であって、本発明の一部である。
【００２８】
図１は、回転式ラッチ１と係合する爪部２を有する自動車ドアロックの通常動作を示す。結果として、図示されるロックボルト３が把持され、そして、これと連動する不図示の自動車ドアが施錠される。一方、図２は開錠動作を示す。この場合、爪部２が回転式ラッチ１から引き離されると、不図示のバネによって回転式ラッチが開錠し、ロックボルト３を解放することができる。同様に、前記自動車ドアにも当てはまる。
【００２９】
自動車ドアロックの更なる一般的な構成の一部としては、機械式レバー４、５がある。機械式レバーギア４、５は、１つの作動レバー４と、当該作動レバー４に作用する１若しくは複数のレバー５とを含む。作動レバー４によって、閉じた回転式ラッチ１を爪部２から引き離し可能にするために、作動レバー４を、図１に矢印で示すように、その軸６を中心に時計回りに旋回させる必要がある。これにより、機械式レバーギア４、５は、ロック機構１、２を開錠するよう構成される。
【００３０】
また、モーター駆動式開錠ユニット７〜９も、ロック機構１、２を開錠することができる。この目的のために、本実施形態では、モーター駆動式開錠ユニット７〜９は、電気モーター７と、当該電気モーターによって駆動される駆動プーリー９とを含む。駆動プーリー８は、カム９を含む。カム９は駆動カムとして設計される。
【００３１】
図１に示す機能的位置または通常動作を始点として、電気モーター７によって駆動プーリー８は、軸１０を中心に、駆動方向１１へ反時計回り旋回運動を開始し、その旋回運動によって、確実にカムまたは駆動カム９が、爪部２上の係止要素１２と相互作用する。
【００３２】
この係止要素１２としては、係止端、係止形状部（ｓｔｏｐ  ｐｒｏｆｉｌｅ）などが挙げられ、通常動作において駆動カム９の調整範囲内に入る。その結果、駆動カム９は、ある調整を完了した後、爪部２の係止要素１２で爪部２に作用する。これによって、爪部２は、図１に矢印で示すように、その軸６を中心に時計回り方向に旋回する。爪部２は、結果として、回転式ラッチ１から引き離され、ロック機構１、２が開錠される。
【００３３】
爪部２と作動レバー４は、図面に示されるのみのロックケース１３内の共通軸６上に配置される。また、モーター駆動式開錠ユニット７〜９、および各軸または回転の軸１０を有する駆動プーリー８もロックケース１３内に収容される。電気モーター７は、公知のウォームギア（Ｗｏｒｍ  ｄｒｉｖｅ  Ｇｅａｒ）を用いて、当該ウォームギアが駆動プーリー８上の外歯に公知の方法で係合するように駆動プーリー８に作用する。
【００３４】
上記に説明したロック機構１、２のモーター駆動式開錠前に、あるいは駆動カム９が係止要素１２によって爪部２を回転式ラッチ１から引き離す前に、あるいは同時に、駆動カム９は、確実にアクチュエーター１４に作用する。このアクチュエーター１４は、旋回レバーとして設計される。一実施形態では、アクチュエーターまたは旋回レバー１４は、機能的に、および形態的に、爪部２と作動レバー４の間に配置される。また、軸頚１６を支持する連結リンク１５も、前記レバー２、４の間に配置される。軸頚１６は、この場合、爪部２と作動レバー５間における機械式連結軸頚１６である。また、軸頚１６が作動レバー４に係合するために、作動レバー４にＬ字型、従って、少なくても２つの部分を有する穴形状部１７が設けられている。
【００３５】
作動レバー４に設けられたＬ字形穴形状部１７は、垂直方向の脚部１７ａにおける移動自在な領域１７ａと、水平方向の別のＬ字型脚部１７ｂにおける係合領域１７ｂとを含む。爪部２は穴形状部１８を有するが、しかし、当該穴形状部１８は、概して水平方向のスロット型である。軸頚または連結軸頚１６は、爪部２の穴形状部１８、連結リンク１５、および作動レバー４の穴形状部１７をこの順で貫通する。当然、これは必須ではなく、図示する本実施形態にのみで使用されるものである。結果として、軸頚または連結軸頚１６は、投影図へ垂直に、従って、２つのレバー２、４へも垂直に延出する。
【００３６】
前記構成は、次のように機能する。図１に示す通常動作において、モーター駆動式開錠ユニット７〜９は、確実にレバーギア４、５をロック機構１、２に対して移動自在にする。通常動作は、アクチュエーターまたは旋回レバー１４が連結軸頚１６に作用しないように、駆動プーリー８上の駆動カム９がアクチュエーターまたは旋回レバー１４の係止軸頚上に当接することに対応する。駆動カム９と同様に、アクチュエーターまたは旋回レバー１４は、その基底位置にある。
【００３７】
この基底位置では、電気モーター７は起動されない。また、モーター駆動式開錠ユニット７〜９に設けられその駆動方向１１と逆方向に作用するバネ２０は、確実に駆動カム９に作用して、それぞれの基底位置を保持する。同様に、不図示のバネは、アクチュエーターまたは旋回レバー１４にも設けられ、このバネによって前記アクチュエーターまたはレバーを図１に示す基底位置に保持する。
【００３８】
このモーター駆動式開錠ユニット７〜９の基底位置、従って、アクチュエーターまたは旋回レバー１４の基底位置において、連結リンク１５上に支持される軸頚１６は、作動レバー４に設けられた穴形状部１７の移動自在な領域１７ａ内にある。また、それぞれの軸頚１６は、爪部２における水平スロット状穴形状部１８の左端に配置される。機械式レバーギア４、５が、この通常動作において作用されると、直ちに連結軸頚１６が、作動レバー４の垂直方向のＬ字型脚部または移動自在な領域１７ａに沿って移動する。機械式レバーギア４、５は、通常動作において、作動レバー４が、爪部２と共有する軸６を中心に図１に矢印で示すような時計方向の運動を行うよう作用される。この工程の間、結果として、爪部２は、回転ラッチに当接し、従って回転式ラッチ１から引き離されない。
【００３９】
しかしながら、自動車ドアロックが開錠動作へ移行する場合、上記自動車ドアロックは、モーター駆動式開錠ユニット７〜９と連動した上記作動運動の末に、図２に示す機能的位置に到達する。開錠動作は、例えば、スイッチによる起動やハンドルによる起動などによって開始され、それは、概して、これらがモーター駆動式開錠ユニット７〜９の電気モーター７に作用することに対応する。
【００４０】
モーター駆動式開錠ユニット７〜９が一方向性設計のため、電気モーター７の起動によって、確実に駆動プーリー８が、その軸１０を中心に時計方向に駆動方向１１へ動かされる。その結果、駆動カム９が、旋回レバー１４上の係止軸頚１９を離れる。それにより、旋回レバー１４が、バネによってその軸２１を中心に時計方向に回転する。これは、図１から図２への移行において、旋回レバー１４の機能的位置を比較すれば明白である。
【００４１】
旋回レバーまたはアクチュエーター１４は、軸頚１６を収容するためのＵ字型ガイド領域１４ａを含むため、軸頚１６は当該旋回レバー１４の枢動運動に追従する。このようにして、連結軸頚１６は、作動レバー４に設けられた穴形状部１７の自由領域１７ａから係合領域１７ｂ内に移動する。同時に、連結軸頚１６は、爪部２に設けられたスロット状穴形状部１８の左端から、その右端に移動する。これは、図１、および最終位置を表す図２に点線で示されている。上記説明のような旋回レバーまたはアクチュエーター１４の運動を開始するために、伸縮バネを、アクチュエーターまたは旋回レバー１４に設けてもよい。
【００４２】
駆動カム９が旋回レバーまたはアクチュエーター１４を解放すると、直ちに旋回レバーまたはアクチュエーターが伸縮バネによって作用され、図１から図２に移行する運動を実行する。この工程の一環として、連結軸頚１６は、係合領域１７ｂ内に移動する。このようにして、モーター駆動式開錠ユニット７〜９は、開錠動作の開始時に直接的に機械式レバー４、５の係合を確実にする。駆動カム９の更なる回転運動によって、駆動カム９が爪部２上の係止要素１２と相互作用し、それにより爪部２が回転式ラッチ１から引き離される。この場合、機械式レバーギア４、５は、機械式レバー４、５がロック機構１、２と係合しているよう、必要な場合には補助することができる。
【００４３】
実際に、機械式レバーギア４、５の作動レバー４が作動レバー４の軸を中心に時計方向に動くことで、確実に、係合領域１７ｂに位置する連結軸頚１６が爪部２に沿って移動する。例えば、電気モーター７の力が、爪部２を回転式ラッチ１から引き離すのに十分でない場合は、機械式レバーギア４、５がこの点を補助することができる。この目的のために、内側のドアハンドルおよび／または外側のドアハンドルのような不図示のドアハンドルによって、作動レバー４またはレバーギア４、５に作用することが可能である。
【図１】
2014511447.tif 000003
【図２】
2014511447.tif 000004
【国際調査報告】
2014511447.tif 000005
2014511447.tif 000006
2014511447.tif 000007
2014511447.tif 000008